(57)【要約】【課題】  涙道の治療の過程ではいろいろな状態が発生し、チューブが正しく涙道に挿入されないことがしばしば発生する。また、治療方法が複雑で時間を要する。そこで、本発明は、チューブを容易に涙道に留置でき、結果として治療を容易に行える涙道治療用具を提供することを目的とする。【解決手段】  涙道に挿入できる外径を持ち、柔軟性を有する材料で構成された涙道留置用本体１と、この涙道留置用本体１の下端部に設けられ、涙道留置用本体１よりも硬い材料で構成された柔軟性を有する筒体よりなるシース部５ａ、５ｂとを備えたことを特徴とする。【選択図】  図１
2010213957.tif 000002
【特許請求の範囲】
【請求項１】
涙道に挿入できる外径を持ち、柔軟性を有する材料で構成された涙道留置用本体と、この涙道留置用本体の下端部に設けられ、涙道留置用本体よりも硬い材料で構成された柔軟性を有する筒体よりなるシース部とを備えたことを特徴とする涙道治療用具。
【請求項２】
前記シース部の外径は前記涙道留置用本体の外径以下であることを特徴とする請求項１記載の涙道治療用具。
【請求項３】
前記涙道留置用本体は、全体として密封状態に構成された筒体または中実の柱体であり、その端部の密封部分において前記シース部と結合していることを特徴とする請求項１または２記載の涙道治療用具。
【請求項４】
前記涙道留置用本体は筒体であり、その肉厚は、前記シース部の肉厚よりも大きいことを特徴とする請求項１または２項記載の涙道治療用具。
【請求項５】
前記シース部の前記涙道留置用本体寄りの部分に内視鏡カメラ挿入用の透孔が設けられていることを特徴とする請求項１から４のいずれか一項に記載の涙道治療用具。
【請求項６】
前記涙道留置用本体と前記シース部とを同一材料で一体成型し、前記シース部の強度を高めるためシース部に被覆を施したことを特徴とする請求項１から５のいずれか一項に記載の涙道治療用具。
【発明の詳細な説明】
【技術分野】
【０００１】
本発明は、涙道閉塞などの治療のために使用する涙道治療用具に関するものである。
【背景技術】
【０００２】
涙道が閉塞した場合に、まず、涙道にブジー（消息子）だけを挿入して、閉塞部分を除去する。次に、涙道にスタイレットを使ってチューブを挿入し、スタイレットを除去してチューブを涙道に８週間留置して、その後チューブを抜去することが行われている。
このような涙道の治療に用いられるチューブは、例えば特開平７−２１３５５１号公報に示されているように、二本のチューブ（全体としては一本となっている。）が涙道に挿入される。
【先行技術文献】
【特許文献】
【０００３】
【特許文献１】特開平７−２１３５５１号公報
【発明の概要】
【発明が解決しようとする課題】
【０００４】
医師が涙道閉塞を治療する場合、涙道にブジー（直径が０．４〜０．６ｍｍ程度のステンレス等の弾力性のある金属棒で構成されている）を挿入して涙道の閉塞部を押して、涙道を確保することがまず行われる。この時、ブジーで涙道の壁面を突き破って、そのまま突き進み、再び元の涙道に出るといったことがある。これによって、仮道が形成される。その後、ブジーを引き抜き、次にスタイレット（ステンレス等の細い金属棒で、柔軟性を有するチューブに挿入してチューブの形を整えるもの）を使ってチューブを涙道に挿入する。このとき上記仮道にチューブを挿入してしまうことがある。スタイレットを引き抜くとチューブは仮道に挿入されたままとなる。
【０００５】
上記の例は一例であり、治療の過程でいろいろな状態が発生し、チューブが正しく涙道に挿入されないことがしばしば発生する。一方のチューブでも仮道に挿入されていると、正しく涙道の治療ができないことになる。
そこで、本発明は、上記の課題を解決し、チューブが正しく涙道に挿入されるようにするとともに、治療を容易に行える涙道治療用具を提供することを目的とする。
【課題を解決するための手段】
【０００６】
本発明の涙道治療用具は、涙道に挿入できる外径を持ち、柔軟性を有する材料で構成された涙道留置用本体と、この涙道留置用本体の下端部に設けられ、涙道留置用本体よりも硬い材料で構成された柔軟性を有する筒体よりなるシース部とを備えたことを特徴とする。
また、前記シース部の外径は前記涙道留置用本体の外径以下であることを特徴とする。
【０００７】
また、前記涙道留置用本体は、全体として密封状態に構成された筒体であり、その端部の密封部分において前記シース部と結合していることを特徴とする。
また、前記涙道留置用本体は筒体であり、その肉厚は、前記シース部の肉厚よりも大きいことを特徴とする。
【０００８】
また、前記シース部の前記涙道留置用本体寄りの部分に内視鏡カメラ挿入用の透孔が設けられていることを特徴とする。
また、前記涙道留置用本体と前記シース部とを同一材料で一体成型し、前記シース部の強度を高めるためシース部に被覆を施したことを特徴とする。
【発明の効果】
【０００９】
本発明の涙道治療用具によれば、涙道に挿入できる外径を持ち、柔軟性を有する材料で構成された涙道留置用本体の先端部に特別に構成したシース部を設けたので、内視鏡カメラのプローブを前記シース部に挿入し、涙道内の閉塞物を確認しながら、これを除去することができるので、誤って仮道を作ってしまうことはない。その上、シース部を涙道の下端から引き抜くと涙道留置用本体が涙道内に入るので涙道留置用本体を涙道内に迅速に留置することができる。
また、特別な場合を除き、従来のようにブジーを使用して治療をする必要がないので、涙道留置用本体にブジー挿入用の透孔を設ける必要がなく、涙道留置用本体を全体として密封状態にできるので、不必要な体液などが侵入して菌が発生することもないので都合が良い。また、内視鏡カメラはシース部に設けた透孔より、挿入することができる。
【図面の簡単な説明】
【００１０】
【図１】本発明の一実施例における涙道治療用具の平面図である。
【図２】同涙道治療用具の一部分の断平面図である。
【図３】同涙道治療用具の一部分の斜視図である。
【図４】（ａ）、及び（ｂ）は同涙道治療用具による医療に用いる内視鏡カメラの一部分の側面図、及び一部分の平面図である。
【図５】同涙道を断面にして治療の状態を示す断平面図である。
【図６】同涙道を断面にして治療の他の状態を示す断平面図である。
【図７】同涙道を断面にして治療の他の状態を示す断平面図である。
【図８】同涙道を断面にして治療の他の状態を示す断平面図である。
【図９】同涙道を断面にして治療の他の状態を示す断平面図である。
【発明を実施するための形態】
【００１１】
以下、本発明の実施の形態を図面を参照して説明する。
図１は本発明の涙道治療用具の一実施例の平面図である。
図１において、１はシリコンや、ポリウレタンなどの樹脂によって構成された柔軟性を有する透明なチューブである。このチューブ１は両側がチューブ２ａ、２ｂとなっている。チューブ２ａ、２ｂが涙道留置用本体を構成している。
【００１２】
チューブ２ａ、２ｂの外径は例えば、１．１ｍｍ、肉厚は０．５ｍｍ、内径は０．６ｍｍ、長さはショートタイプで９０ｍｍ、スタンダードタイプで１０５ｍｍである。なお、チューブ２ａ、２ｂの径は１．１〜１．２ｍｍ程度が良い。肉厚は０．５ｍｍと厚く構成されている。これは、チューブ２ａ、２ｂを涙道に留置したとき、チューブ２ａ、２ｂが涙道の壁面の圧力によって押しつぶされないようにするためである。押しつぶされると治療の効果が充分でなくなる。
【００１３】
チューブ２ａ、２ｂは全体として密封状態に構成されており、体液などが入ることがない。従来のチューブには必ず手元側に透孔が設けられ、ここから、ブジーを入れるようになっていたので、この穴から体液などの不純物が入って雑菌が繁殖することがあった。チューブ２ａ、２ｂは密封構造にできるので都合が良い。また、チューブではなく、中実の円柱体にしても良い。
【００１４】
チューブ２ａ、２ｂの先端部４ａ、４ｂにはシース（鞘）部５ａ、５ｂの端部が結合されている。このシース部５ａ、５ｂはシリコン、ポリウレタン、ポリエチレン、テフロン（登録商標）などの柔軟性を有する透明又は半透明の円筒体で構成されている。シース部５ａ、５ｂは柔軟性を有するがチューブ２ａ、２ｂより硬い材料で構成されている。柔軟性の程度は短いものであれば下端を持って立てると自立し、両端を持って押すと湾曲するが、離すと元の直線状態に復帰するものである。
【００１５】
図２及び図３はシース（鞘）部５ａ、５ｂの断側面図及び斜視図である。このシース部５ａ、５ｂは円筒体であるので両端部は開放状態（開口部）に構成されている。そして、一端部は、少し外方に向かって徐々に径を大きくしておき、この径大部６ａ、６ｂでチューブ２ａ、２ｂの下端部の湾曲部を包み込んで接着材などで結合し、一体とする。この径大部６ａ、６ｂの加工は、例えば温めた金属製の円垂体をシース部５ａ、５ｂ端部に押し込むことによって行う。また、他端部は外側が加工され先端に行くほど薄くなるようにテーパー７ａ、７ｂが形成されている。
【００１６】
シース部５ａ、５ｂの外径はチューブ２ａ、２ｂの外径以下であり、例えば１．１ｍｍ、肉厚は０．２ｍｍ、内径は０．９ｍｍ、長さは約５５ｍｍ（涙点から鼻涙管の下端部までの長さより長い）に設定されている。シース部５ａ、５ｂの外径をチューブ２ａ、２ｂ外径以下にしてあるのは、涙道に最初に入るのがシース部５ａ、５ｂであるので、細くて硬く、且つ柔軟性を有するものの方が良いためである。
シース部５ａ、５ｂの肉厚はチューブ２ａ、２ｂの肉厚より小さく設定してある。これは内部空間を広くして、内視鏡カメラのプローブを入れやすくするためである。
シース部５ａ、５ｂの径大部の近傍に透孔８ａ、８ｂが設けられている。この透孔８ａ、８ｂは内視鏡カメラのプローブが入る孔である。透孔８ａ、８ｂの下端から先端までの長さが４５ｍｍ程度、同下端から上端までが１０ｍｍ程度である。
【００１７】
チューブ２ａ、２ｂが円筒体の場合、シース部５ａ、５ｂも一体につくることも考えられる。この場合、シース部５ａ、５ｂの材料がチューブ２ａ、２ｂと同じであるので柔らかすぎる。そこで、シース部５ａ、５ｂに樹脂をコーティングして少し強度を持たせるようにすればよい。
チューブ２ａ、２ｂは中実の円柱体でも良く。この場合は、シース部５ａ、５ｂと接着剤で結合する。
【００１８】
図１では２つのチューブ２ａ、２ｂと二つのシース部５ａ、５ｂを３の細い部分で連結して１つの涙道治療用具としたが、３の部分で切り離して２本の独立した涙道治療用具としても良い。
また、シース部５ａ、５ｂは内視鏡カメラのプローブが入るので、中空である必要がある。そして、先端は開口している方が、内視鏡カメラで外部を良く観察出来て良いが、透明体で先端部は閉じられていても差し支えない。
【００１９】
図４（ａ）及び（ｂ）に示すものは内視鏡カメラ９であり、本体部１０からプローブ（探知棒）１１が突出して設けられている。この内視鏡カメラ９は眼科医院ですでに使用されているものである。プローブ１１の最先端部は長さＡ＝１０ｍｍ程度で、角度α＝２７度程度曲げられており、直線部の長さＢは４ｃｍ程度である。
図４（ｂ）に示すように、プローブ１１の内部には、水を出す導管１２と、光源となる光ファイバー１３ａ、１３ｂとレンズ１４が設けられている。
【００２０】
次に、図１に示す涙道治療用具を用いて涙道の治療をする方法を説明する。
まず、内視鏡カメラ９のプローブ１１の先端部をシース部５ａの透孔８ａより挿入し、プローブ１１の先端部がシース部５ａの先端から１ｍｍ程度出た位置に設定する。
【００２１】
図５は涙道の状態を示しており、１５は上側の涙小管、１６は下側の涙小管、１７は涙嚢、１８は鼻涙管、１９は隆起部、２０は涙小管１５に詰まった閉塞物、２１は鼻涙管１８に詰まった閉塞物である。図５では閉塞物の場合を示したが、涙小管１５や鼻涙管１８の壁面の癒着の場合もある。
上記の状態にセットされた内視鏡カメラ９のプローブ１１を、図５に示すようにシース部５ａの先端から涙小管１５に挿入する。カメラ９で涙小管１５の閉塞状態を見ながらシース部５ａを涙小管１５の奥へと進める。閉塞物２０が見つかると、シース部５ａの先端部をプローブ１１の先端より１ｍｍ程度出して、シース部５ａの先端部で押して、閉塞物２０を除去する。癒着の場合は、シース部５ａの先端部で押して癒着を解消する。
【００２２】
シース部５ａの先端部が涙嚢１７に入ったことを確認すると、シース部５ａをプローブ１１とともに立てて図６の状態にする。この状態からカメラ９で鼻涙管１８の閉塞状態を見ながらシース部５ａの先端部をプローブ１１とともに鼻涙管１８の奥へと進める。閉塞物２１が見つかると、シース部５ａの先端部で押して、閉塞物２１を除去する。
【００２３】
次に、鼻涙管１８の下端からシース部５ａの先端部が出た状態で、把手でこれを固定し、カメラ９のプローブ１１を透孔８ａから引き抜く。すると、図７に示すように、涙道にはシース部５ａのみが残る。この状態でシース部５ａの先端部を持って、鼻涙管１８の下端からゆっくりと引き抜く。すると、図８に示すように、シース部５ａに結合されているチューブ２ａが涙小管１５、鼻涙管１８を通ってその先端部が鼻涙管１８の下端から出てくる。
【００２４】
ここで、図８の矢印Ｃで示す部分、すなわち、シース部５ａの上端部（チューブ２ａとの結合部分）を切断し、シース部５ａとチューブ２ａとを分離する。
同様の手順で、図９に示すように、下側の涙小管１６から鼻涙管１８にかけてチューブ２ｂを挿入する。これで、チューブ２ａ、２ｂを涙道に留置できる。８週間程度でチューブ２ａ、２ｂを涙道から抜くことによって、治療は終了する。
【００２５】
なお、図６ではシース部５ａで閉塞物２１を除去するようにしたが、閉塞物２１が柔らかい場合には良いが、硬くてシース部５ａでは除去できない場合には、プローブ１１をシース部５ａから引き抜き、代わりにブジーをシース部５ａに挿入して、ブジーにより閉塞物を除去することができる。
【００２６】
図７を用いて、特殊な治療を必要とするケースについて説明する。下側の涙小管１６の涙嚢１７への開口部分で極端な閉塞状態が起こっていると、図７の状態で涙小管１６よりシース部５ｂで当該閉塞部分を通過することが困難なことが多い。
このような場合、まず、鼻涙管１８の下端側から光ファイバーを挿入して閉塞部分を照らす。次に、内視鏡カメラ９で閉塞部分を観察する。この状態でプローブ１１をシース部５ｂから引き抜き、涙小管１６に鋏あるいはレーザを挿入して、閉塞部分を切り、あるいは焼き、この部分の閉塞状態を除去する。後は、元に戻って治療を行う。
【産業上の利用可能性】
【００２７】
本発明の涙道治療用具は涙道の閉塞状態を治療する場合に用いて有用である。
【符号の説明】
【００２８】
１    チューブ
２ａ、２ｂ  チューブ
４ａ、４ｂ  先端部
５ａ、５ｂ  シース部
８ａ、８ｂ  透孔
９    内視鏡カメラ
１１  プローブ
【図１】
2010213957.tif 000003
【図２】
2010213957.tif 000004
【図３】
2010213957.tif 000005
【図４】
2010213957.tif 000006
【図５】
2010213957.tif 000007
【図６】
2010213957.tif 000008
【図７】
2010213957.tif 000009
【図８】
2010213957.tif 000010
【図９】
2010213957.tif 000011